(57)【特許請求の範囲】
【請求項１】
内容物を充填する容器本体の一端に、扁平な外観形状のテール部を有しブロー成形によって成形されるチューブ容器であって、
該チューブ容器は、前記テール部の輪郭に沿って連続的または断続的に設けられ先端に加飾を有する加飾用の突状部を有し、この突状部の先端に加飾が施される部分の縁から外側の領域に、前記容器本体の成形に際して形成されるパーティングラインを形成してなることを特徴とするチューブ容器。
【請求項２】
前記加飾が印刷面である請求項１に記載のチューブ容器。
【発明の詳細な説明】
【０００１】
【発明の属する技術分野】
本発明は、内容物を充填する容器本体の一端に、扁平な外観形状のテール部を有しブロー成形によって成形されるチューブ容器に関するものである。
【０００２】
【従来の技術】
チューブ容器は、比較的薄肉な容器本体の胴体部を押し潰すことによって、その口部から内容物を排出するものである。こうしたチューブ容器は、一般的に、練り辛子や練りワサビなどの調味料を入れたり、化粧料、歯磨き剤、接着剤などを入れる容器として利用される。
【０００３】
ところで、この種の容器は、サイズに違いこそあれ、何れも同じ外観形状を有するため、チューブ容器を利用する消費者やメーカーからは、他のチューブ容器との明確な区別を図ることができる識別機能を有したチューブ容器が要求されている。このような要請に答えるために、従来のチューブ容器は、その容器本体の外表面に直接印刷するなどの加飾を施して、他のチューブ容器との差別化を図るようにしている。
【０００４】
【発明が解決しようとする課題】
しかしながら、チューブ容器の外表面を単に加飾しただけでは、そのデザインも類似するものが多数見られることから、印刷による加飾などによって他のチューブ容器との差別化を図るうえにも困難な状況にあり、チューブ容器の用途が拡大する現在においては、新たな視点からチューブ容器に対して識別力を持たせる技術が要求されている。
【０００５】
本発明は、上述した問題点を解消するためになされたものであって、チューブ容器に新たな識別機能を付加することにより、高い識別機能を有するチューブ容器を提供することを目的とする。
【０００６】
【課題を解決するための手段】
上述した課題を解決するため、第１発明に係る、チューブ容器は、内容物を充填する容器本体の一端に、扁平な外観形状のテール部を有しブロー成形によって成形されるチューブ容器であって、該チューブ容器は、前記テール部の輪郭に沿って連続的または断続的に設けられ先端に加飾を有する加飾用の突状部を有し、この突状部の先端に加飾が施される部分の縁から外側の領域に、前記容器本体の成形に際して形成されるパーティングラインを形成してなることを特徴とするものである。
【０００７】
第１発明によれば、容器本体のテール部の輪郭に沿った加飾用突状部を設けることにより、チューブ容器に対して新たな識別機能が付加されるため、高い識別機能を有するチューブ容器を提供することができる。また、第１発明によれば、上記加飾用突状部をテール部の輪郭に沿って連続的または断続的に設けたから、この加飾用突状部は容器本体に対する押し潰し動作を妨げることなく、内容物を排出する機能を従来のまま維持することができる。
【０００８】
また、第２発明に係る、チューブ容器は、上記第１発明において、前記加飾が印刷面であることが好ましい。第２発明によれば、前記加飾用突状部の先端に設けた印刷面が立体的に浮き上がることによってその加飾部分に立体感が得られるから、チューブ容器をさらに効果的に識別できる。加えて、第２発明によれば、パーティングラインが加飾用突状部の先端に位置しないから、この加飾用突状部に対する印刷が容易になるため、加飾された突状部を有するチューブ容器を生産するに当たってその生産性が向上する。
【０００９】
【発明の実施の形態】
以下、本発明の実施の形態を、添付図面に基づき詳細に説明する。
【００１０】
図１〜４は、本発明に係る、チューブ容器の一実施形態である。図１は、そのチューブ容器１００を示す斜視図、図２，３はそれぞれ、そのチューブ容器の正面図および側面図であって、図４はチューブ容器のテール部を示す拡大図である。
【００１１】
チューブ容器１００は、比較的薄肉な容器本体１１０の胴体部１１１を外力Ｆによって押し潰すことで、その口部１１２から容器本体１１０に充填した内容物を外部に排出するものであり、口部１１２には取り外し可能なキャップＣを有する。
【００１２】
容器本体１１０は、口部１１２と反対側の一端に、胴体部１１１を閉塞する扁平な矩形のテール部１１３を有し、胴体部１１１の押し潰しを容易にするために、胴体部１１１の両側面にそれぞれ蛇腹１１４を備える。
【００１３】
また容器本体１１０は、テール部１１３の輪郭に沿って連続的に設けられた加飾用の突状部１１５を有する。この突状部１１５は、図１，３に示す如く、容器本体１１０の側面に亘って延長されて蛇腹１１４を分割し、その先端には赤、青、黄などの単色またはそれらを組み合わせた複数色によって加飾された印刷面１１６を有する。
【００１４】
従って、チューブ容器１００によれば、容器本体１１０のテール部１１３の輪郭に沿った加飾用突状部１１５を設けることにより、チューブ容器に対して新たな識別機能が付加されるため、高い識別機能を有するチューブ容器を提供することができる。また、チューブ容器１００によれば、加飾用突状部１１５をテール部１１３の輪郭に沿って連続的に設けたから、この加飾用突状部１１５は容器本体１１０に対する押し潰し動作を妨げることなく、内容物を排出する機能を従来のまま維持することができる。
【００１５】
また本実施形態の場合、加飾用突状部１１５は、その先端に印刷面１１６を有するから、加飾用突状部１１５の先端に設けた印刷面１１６が立体的に浮き上がることによってその加飾部分に立体感が得られるため、従来のチューブ容器と比べてさらに効果的な識別機能を有する。
【００１６】
ところで、チューブ容器１００をブロー成形により成形する場合は、ポリエチレン等のオレフィン系樹脂やこの樹脂層にＥＶＯＨ・ナイロンなどの樹脂をバリア層として間に挟んだ積層構成とする合成樹脂によって金型成形されるため、金型の合せ面によって生じるパーティングラインＬが突状部１１５の先端、即ち、加飾が施される部分に位置する際には、このパーティングラインＰのために印刷面１１６がうまく形成できない場合がある。
【００１７】
そこで、チューブ容器１００はさらに、図４に示す如く、パーティングラインＬを突状部１１５の先端に隣接する段下がり領域Ｘ、即ち、加飾が施される部分の縁から外側の領域に形成する。この場合、パーティングラインＬが加飾用突状部１１５の先端に位置しないことにより、この加飾用突状部１１５に対する印刷が容易になるから、加飾された突状部１１５を有するチューブ容器１００を生産するに当たってその生産性が向上する。
【００１８】
なお、チューブ容器１００は、突状部１１５の先端に印刷面１１６を有するが、この印刷面１１６は、要求に応じて無くしてもよい。
【００１９】
ところで、加飾用突状部１１５は、少なくともテール部１１３の輪郭に沿って設けたものであればよい。例えば、図５および図６はそれぞれ、本発明の第２および第３実施形態であるチューブ容器のテール部を示す拡大図である。なお、図１〜４と同一部分は、同一符号を用いてその説明を省略する。
【００２０】
第２実施形態のチューブ容器は、図５に示す如く、容器本体１１０の側面に亘って延長されて蛇腹１１４を分割することなく、テール部１１３の輪郭部分にだけ連続的に設けられた加飾用の突状部１１７を有するものである。なお、突状部１１７は、加飾された印刷面を有するものであるが、この印刷面は無くてもよい。
【００２１】
また、第３実施形態のチューブ容器は、図６に示す如く、テール部１１３の輪郭に沿って断続的に設けられた加飾用の突状部１１８を有するものである。この場合、加飾用突状部１１８は、容器本体１１０の側面に亘って延長されて蛇腹１１４を分割する配置であっても、第２実施形態と同様に、容器本体１１０の側面にまで延長されることなく、テール部１１３の輪郭部分だけに配置されたものであってもよい。なお、突状部１１８は、加飾された印刷面を有するものであるが、この印刷面は無くてもよい。
【００２２】
上述したところは、本発明の好適な実施形態を示したに過ぎず、当業者によれば、請求の範囲において、種々の変更を加えることができる。例えば、チューブ容器の容器本体は、その側面に蛇腹が設けられていない従来の容器であってもよい。また、容器本体の口部１１２も様々な形態のものがあり、この口部１１２に取り付けられるキャップＣも、口部１１２の形態に応じて様々な形態のものが使用可能である。
【００２３】
【発明の効果】
上述したことから明らかな如く、第１発明によれば、容器本体のテール部の輪郭に沿った加飾用突状部を設けることにより、チューブ容器に対して新たな識別機能が付加されるため、高い識別機能を有するチューブ容器を提供することができる。また、第１発明によれば、上記加飾用突状部をテール部の輪郭に沿って連続的または断続的に設けたから、この加飾用突状部は容器本体に対する押し潰し動作を妨げることなく、内容物を排出する機能を従来のまま維持することができる。
【００２４】
また、第２発明によれば、上記第１発明において、前記加飾用突状部の先端に設けた印刷面が立体的に浮き上がることによってその加飾部分に立体感が得られるから、チューブ容器をさらに効果的に識別できる。加えて、第２発明によれば、パーティングラインが加飾用突状部の先端に位置しないから、この加飾用突状部に対する印刷が容易になるため、加飾された突状部を有するチューブ容器を生産するに当たってその生産性が向上する。
【図面の簡単な説明】
【図１】  本発明に係る、チューブ容器の第１実施形態を示す斜視図である。
【図２】  同実施形態におけるチューブ容器の正面図である。
【図３】  同実施形態におけるチューブ容器の側面図である。
【図４】  同実施形態におけるチューブ容器のテール部を示す拡大図である。
【図５】  本発明の第２実施形態であるチューブ容器のテール部を示す拡大図である。
【図６】  本発明の第３実施形態であるチューブ容器のテール部を示す拡大図である。
【符号の説明】
１００  チューブ容器
１１０  容器本体
１１１  胴体部
１１２  口部
１１３  テール部
１１４  蛇腹
１１５  加飾用突状部（第１実施形態）
１１６  印刷面
１１７  加飾用突状部（第２実施形態）
１１８  加飾用突状部（第３実施形態）
Ｃ  キャップ
Ｌ  パーティングライン
Ｆ  外力
Ｘ  段下がり領域
【図１】
0003949376.tif 000002
【図２】
0003949376.tif 000003
【図３】
0003949376.tif 000004
【図４】
0003949376.tif 000005
【図５】
0003949376.tif 000006
【図６】
0003949376.tif 000007